(57)【要約】【課題】割り箸を構成する部材の一部分のみを一回の使用ごとに取替え使用する木質材料製にして資源の節減を図ると共に、より簡単な構造で、製造のコストの低下を図ることができ、使い勝手が向上された、使用するたびごとに新しい箸が使用に供されていることを確認できる割り箸を提供する。【解決手段】長手方向に延びる左右一対の先端側棒状体からなり、所定の長さにわたって長手方向に延びる割目部を介して分離可能であると共に、当該割目部を間に挟んで、前端及び後端がそれぞれ左右に分割されている先端側箸部と、前記先端側箸部を構成する左右一対の先端側棒状体の後端にそれぞれ先端が結合される２本の後端側棒状体とからなる先端取替え割り箸。【選択図】図１
0003126978.tif 000002
【実用新案登録請求の範囲】
【請求項１】
長手方向に延びる左右一対の先端側棒状体からなり、所定の長さにわたって長手方向に延びる割目部を介して分離可能であると共に、当該割目部を間に挟んで、前端及び後端がそれぞれ左右に分割されている先端側箸部と、
前記先端側箸部を構成する左右一対の先端側棒状体の後端にそれぞれ先端が結合される２本の後端側棒状体と
からなる先端取替え割り箸。
【請求項２】
前記先端側箸部を構成する左右一対の先端側棒状体の後端と、前記各後端側棒状体の先端との結合は、前記各後端側棒状体の先端に形成されている長手方向に延びる係合部材に、前記先端側箸部を構成する左右一対の先端側棒状体の後端が長手方向から挿入されて、両者が係合するものであることを特徴とする請求項１記載の先端取替え割り箸。
【請求項３】
前記各後端側棒状体の先端に形成されている長手方向に延びる係合部材は、前記各後端側棒状体の先端に形成されている長手方向に延びる凹部からなり、当該係合部材に前記先端側箸部を構成する左右一対の先端側棒状体の後端が長手方向から挿入されて両者が係合する構造は、前記先端側箸部を構成する左右一対の先端側棒状体の後端が当該凹部に長手方向から嵌装されるものであることを特徴とする請求項２記載の先端取替え割り箸。
【請求項４】
先端側箸部を構成する左右一対の先端側棒状体の後端は断面多角形で、各後端側棒状体の先端に形成されている長手方向に延びる凹部はこれに対応する断面多角形形状をしていることを特徴とする請求項３記載の先端取替え割り箸。
【請求項５】
各後端側棒状体の先端に形成されている長手方向に延びる係合部材はその先端に内側に向けて突出する係合部を備えていることを特徴とする請求項２記載の先端取替え割り箸。
【請求項６】
各後端側棒状体の先端に形成されている長手方向に延びる凹部の先端は、内側に向けて突出する係合部を備えていることを特徴とする請求項３又は４記載の先端取替え割り箸。
【請求項７】
左右一対の先端側棒状体は木質製で、後端側棒状体は生分解性樹脂製であることを特徴とする請求項１乃至６のいずれか一項記載の先端取替え割り箸。
【考案の詳細な説明】
【技術分野】
【０００１】
この考案は、使用する時に新しい箸が使用に供されていることを確認でき、簡易な構造で、地球環境の保護、森林資源の保護・有効活用に貢献し得る割り箸に関する。
【背景技術】
【０００２】
従来、レストラン、食堂等で飲食する場合や持ち帰りの弁当などを食する場合には、専ら、木、竹製の箸、或いは割り箸が使用されている。これらの箸、或いは割り箸は使い捨てとされているので、森林資源の保護、ごみの減量の観点で問題がある。
【０００３】
そこで、使用される木質材料（木や竹など）の節約を図る目的で種々の提案がされている。
【０００４】
例えば、特開２０００−２８７８１０号公報には、長手方向に延びる左右一対の先端側棒状体からなり、所定の長さにわたって長手方向に延びる割目部を介して分離可能であると共に、後端が左右に分割されている先端側箸部と、前記先端側箸部を構成する左右一対の先端側棒状体の後端にそれぞれ先端側開口部が結合される２個のスリーブと、各スリーブの後端側開口部に先端が結合される２本の後端側棒状体という５個の構成部材からなる先端取替え割り箸が提案されている。
【０００５】
また、実開平６−８６６４８号公報には、長手方向に延びる左右一対の先端側棒状体と、前記左右一対の先端側棒状体の後端にそれぞれ先端側開口部が結合される２個の継ぎ管と、各継ぎ管の後端側開口部に先端が結合される２本の後端側棒状体とからなり、前記左右一対の先端側棒状体を割り箸連結部で連結するという、７個の構成部材からなる先端取替え割り箸が提案されている。
【０００６】
これらによれば、２本の後端側棒状体を継続使用に耐える資材とし、左右一対の先端側棒状体を一回の使用ごとに取替え使用する木質材料（木や竹など）製とすることによって、割り箸を構成する部材の一部分のみ一回の使用ごとに取替え使用する木質材料（木や竹など）製にして資源の節減を図ることができるとされている。
【特許文献１】特開２０００−２８７８１０号公報
【特許文献２】実開平６−８６６４８号公報
【考案の開示】
【考案が解決しようとする課題】
【０００７】
前述した従来公知の先端取替え割り箸は、少なくとも５個以上の構成部材を必須にしており、その意味で、より簡単な構造とし、製造のコストの低下を図り、使い勝手を向上する上で改善すべき余地があった。
【０００８】
この考案明は、割り箸を構成する部材の一部分のみを、一回の使用ごとに取替え使用する木質材料（木や竹など）製にして資源の節減を図ると共に、より簡単な構造で、製造のコストの低下を図ることができ、使い勝手が向上された、使用するたびごとに新しい箸が使用に供されていることを確認できる先端取替え割り箸を提供することを目的にしている。
【課題を解決するための手段】
【０００９】
前記目的を達成するため、この考案は、長手方向に延びる左右一対の先端側棒状体からなり、所定の長さにわたって長手方向に延びる割目部を介して分離可能であると共に、当該割目部を間に挟んで、前端及び後端がそれぞれ左右に分割されている先端側箸部と、前記先端側箸部を構成する左右一対の先端側棒状体の後端にそれぞれ先端が結合される２本の後端側棒状体とからなる先端取替え割り箸を提案するものである（請求項１）。
【００１０】
かかる本考案の先端取替え割り箸は、先端側箸部と、２本の後端側棒状体という３個の構成部材からなるので、部品点数を減少させて製造のコストの低下を図ることができる。
【００１１】
また、先端側箸部を構成する左右一対の先端側棒状体の後端に２本の後端側棒状体の先端をそれぞれ結合した後、先端側箸部の長手方向に延びる左右一対の先端側棒状体を、長手方向に延びている割目部を介して分離することによって、簡単に使用可能な一対の箸にすることができるので、使い勝手のよいものとなる。
【００１２】
また、この箸を使用する者は、使用するたびごとに、新しい先端側箸部を構成する左右一対の先端側棒状体の後端を、２本の後端側棒状体の先端に結合させて使用するので、使用するたびごとに新しい箸が使用に供されていることを確認できる。
【００１３】
前記本考案の先端取替え割り箸において、前記先端側箸部を構成する左右一対の先端側棒状体の後端と、前記各後端側棒状体の先端との結合は、前記各後端側棒状体の先端に形成されている長手方向に延びる係合部材に、前記先端側箸部を構成する左右一対の先端側棒状体の後端が長手方向から挿入されて、両者が係合するものとすることができる（請求項２）。
【００１４】
これによって、前記請求項１記載の先端取替え割り箸によって発揮される前述した作用・効果に加えて、各後端側棒状体の先端に形成されている長手方向に延びる係合部材に、前記先端側箸部を構成する左右一対の先端側棒状体の後端を長手方向から挿入し、両者を係合させるだけで、両者を結合し、ついで、前述したように、先端側箸部の長手方向に延びる左右一対の先端側棒状体を、長手方向に延びている割目部を介して分離することによって、簡単に使用可能な一対の箸にすることができるので、簡単な構造で、使い勝手のよい先端取替え割り箸を提供することができる。
【００１５】
前記請求項２記載の本考案の先端取替え割り箸において、前記各後端側棒状体の先端に形成されている長手方向に延びる係合部材は、前記各後端側棒状体の先端に形成されている長手方向に延びる凹部からなり、当該係合部材に前記先端側箸部を構成する左右一対の先端側棒状体の後端が長手方向から挿入されて両者が係合する構造は、前記先端側箸部を構成する左右一対の先端側棒状体の後端が当該凹部に長手方向から嵌装されるものとすることができる（請求項３）。
【００１６】
これによって、各後端側棒状体の先端に形成されている長手方向に延びる凹部に、前記先端側箸部を構成する左右一対の先端側棒状体の後端を嵌装するだけで両者を結合することができるので、簡単な構造で、使い勝手のよい先端取替え割り箸を提供することができる。
【００１７】
前記請求項３記載の本考案の先端取替え割り箸において、先端側箸部を構成する左右一対の先端側棒状体の後端は断面多角形（例えば、断面四角形）で、各後端側棒状体の先端に形成されている長手方向に延びる凹部はこれに対応する断面多角形形状（例えば、断面四角形形状）をしているものとすることができる（請求項４）。
【００１８】
かかる構造によれば、先端側棒状体の後端側が後端側棒状体の先端に形成されている長手方向に延びる係合部材あるいは、各後端側棒状体の先端に形成されている長手方向に延びる凹部に、長手方向から、挿入あるいは、嵌装されて両者が係合しているときに、先端側棒状体が後端側棒状体とは別個に回転する、等の事態が生じなくなり、簡単な構造で、使い勝手のよい先端取替え割り箸を提供することができる。
【００１９】
前記請求項２記載の本考案の先端取替え割り箸において、各後端側棒状体の先端に形成されている長手方向に延びる係合部材はその先端に内側に向けて突出する係合部を備えている形態にすることができる（請求項５）。
【００２０】
また、前記請求項３又は４記載の本考案の先端取替え割り箸において、各後端側棒状体の先端に形成されている長手方向に延びる凹部の先端は、内側に向けて突出する係合部を備えている形態にすることができる（請求項６）。
【００２１】
かかる構造によれば、先端側棒状体の後端側が後端側棒状体の先端に形成されている長手方向に延びる係合部材あるいは、各後端側棒状体の先端に形成されている長手方向に延びる凹部に、長手方向から、挿入あるいは、嵌装されて両者が係合しているときに、先端側棒状体が後端側棒状体から長手方向に抜け出すおそれを未然に防止でき、簡単な構造で、使い勝手のよい先端取替え割り箸を提供することができる。
【００２２】
前記請求項１乃至６のいずれか一項記載の本考案の先端取替え割り箸において、左右一対の先端側棒状体は木質製で、後端側棒状体は生分解性樹脂製とすることができる（請求項７）。
【００２３】
左右一対の先端側棒状体を一回の使用ごとに取替え使用する木質製とすることによって、割り箸を構成する部材の一部分のみ一回の使用ごとに取替え使用する木質材製にし、箸の全長を木質製とするものに比べて、木質材料を約半分して資源の節減を図ることができる。また、木質製の箸によって発揮される機能、例えば、滑り難さ、使いやすさなどの効果を発揮できる。
【００２４】
本考案でいう木質製とは、木製の他、木粉を成形したものや、竹製のものも含んでいる。
【００２５】
また、継続使用される２本の後端側棒状体を生分解性樹脂製にすることによって、地球環境の保護、森林資源の保護・有効活用に貢献し得る先端取替え割り箸を提供することができる。
【００２６】
なお、木質材料（木や竹など）からなる左右一対の先端側棒状体は、少なくとも表面に抗菌処理が施されているものとすることができる。これによって衛生的な先端取替え割り箸を提供することができる。
【００２７】
ここで、少なくとも表面に抗菌処理が施されているとは、表面に抗菌性の塗料や、樹脂などが吹きつけ、塗布されているものの他、木質製の中箸を抗菌性の塗料や樹脂などに含浸処理したもの、そもそも抗菌性を有する木材などによって中箸が成形されている場合を含むものである。
【考案の効果】
【００２８】
この考案によれば、割り箸を構成する部材の一部分のみを一回の使用ごとに取替え使用する木質材料（木や竹など）製にして資源の節減を図ると共に、より簡単な構造で、製造のコストの低下を図ることができ、使い勝手が向上された、使用するたびごとに新しい箸が使用に供されていることを確認できる先端取替え割り箸を提供できる。
【考案を実施するための最良の形態】
【００２９】
以下、添付図面を参照してこの考案の好ましい実施の形態を説明する。
【００３０】
図１（ａ）は先端側箸部４を構成する左右一対の先端側棒状体３ａ、３ｂの後端に２本の後端側棒状体８ａ、８ｂの先端をそれぞれ結合した状態を説明する平面図、図１（ｂ）は、図１（ａ）図示の状態の後、先端側箸部４の長手方向に延びる左右一対の先端側棒状体３ａ、３ｂを、長手方向に延びている割目部５を介して分離し、一対の箸となった状態を説明する平面図である。
【００３１】
本考案の先端取替え割り箸１は、図２（ａ）、（ｂ）で説明している先端側箸部４と、２本の後端側棒状体８ａ、８ｂとからなる。なお、後端側棒状体８ａと、後端側棒状体８ｂとは同一形状、構造であるので、図２（ｃ）には後端側棒状体８ａの一例のみ示している。
【００３２】
先端側箸部４は、木材製で、長手方向（図２（ａ）、（ｂ）中、左右方向）に延びる左右一対の先端側棒状体３ａ、３ｂからなる。
【００３３】
この先端側箸部４は、所定の長さにわたって長手方向（図２（ａ）、（ｂ）中、左右方向）に延びる割目部５を有しており、割目部５を介して図２（ｂ）図示のように分離可能になっている。
【００３４】
なお、割目部５が長手方向に延びる所定の長さは、割目部５を介して左右一対の先端側棒状体３ａ、３ｂを、図２（ｂ）図示のように分離することができるのに必要十分な長さである。
【００３５】
先端側箸部４の左右一対の先端側棒状体３ａ、３ｂは、割目部５を間に挟んで、前端３ｄ、３ｆ及び後端３ｃ、３ｅがそれぞれ左右に分割されている。すなわち、図２（ａ）図示のように、左右一対の先端側棒状体３ａ、３ｂの前端３ｄ、３ｆは、空隙７を介して分割されており、左右一対の先端側棒状体３ａ、３ｂの後端３ｃ、３ｅは、空隙６を介して分割されている。
【００３６】
２本の後端側棒状体８ａ、８ｂは、繰り返して継続使用されるもので、とうもろこし由来の澱粉を主体とする生分解性樹脂からなる。
【００３７】
この２本の後端側棒状体８ａ、８ｂの先端（（図２（ｃ）中、左端）が、左右一対の先端側棒状体３ａ、３ｂの後端３ｃ、３ｅにそれぞれ結合される。
【００３８】
図３（ｂ）は、先端側棒状体３ａの後端３ｃに、後端側棒状体８ａの先端が結合される直前の状態を説明する平面図であり、図３（ａ）は先端側棒状体３ａの後端３ｃに、後端側棒状体８ａの先端が結合された状態を説明する平面図である。
【００３９】
なお、図３においては省略しているが、図２（ａ）図示の先端側箸部４を構成する左右一対の先端側棒状体３ａ、３ｂの３ｃ、３ｅにそれぞれ、後端側棒状体８ａ、８ｂの先端が結合され、図１（ａ）図示の状態になる。
【００４０】
先端側箸部４を構成する左右一対の先端側棒状体３ａ、３ｂの最大外周径と、後端側棒状体８ａ、８ｂの先端の外周径とは同一になるようにしておき、図１（ｂ）図示のように、一対の箸は、後端側棒状体８ａから先端側棒状体３ａに向かって段差なく滑らかに連続し、また、後端側棒状体８ｂから先端側棒状体３ｂに向かって段差なく滑らかに連続するようにすることが望ましい。
【００４１】
先端側箸部４を構成する左右一対の先端側棒状体３ａ、３ｂの後端（図２（ａ）中、右端）に２本の後端側棒状体８ａ、８ｂの先端（図２（ｃ）中、左端）がそれぞれ結合された状態を表す平面図が、図１（ａ）図示である。
【００４２】
この状態で、先端側箸部４を構成する左右一対の先端側棒状体３ａ、３ｂを、図２（ｂ）図示のように、割目部５を介して分離することにより、図１（ｂ）図示の一対の箸になる。
【００４３】
このように本考案の先端取替え割り箸１は、先端側箸部４と、２本の後端側棒状体８ａ、８ｂという３個の構成部材からなるので、部品点数を減少させて製造のコストの低下を図ることができる。
【００４４】
また、先端側箸部４を構成する左右一対の先端側棒状体３ａ、３ｂの後端３ｃ、３ｅに２本の後端側棒状体８ａ、８ｂの先端をそれぞれ結合した後、先端側箸部４の長手方向に延びる左右一対の先端側棒状体３ａ、３ｂを、長手方向に延びている割目部５を介して分離することによって、図１（ｂ）図示のように、簡単に使用可能な一対の箸にすることができるので、使い勝手のよいものとなる。
【００４５】
また、この箸を使用する者は、使用するたびごとに、新しい先端側箸部４を構成する左右一対の先端側棒状体３ａ、３ｂの後端３ｃ、３ｅを、２本の後端側棒状体８ａ、８ｂの先端に結合させて使用するので、使用するたびごとに新しい箸が使用に供されていることを確認できる。
【００４６】
先端側箸部４を構成する左右一対の先端側棒状体３ａ、３ｂの後端３ｃ、３ｅと、各後端側棒状体８ａ、８ｂの先端との結合は、各後端側棒状体８ａ、８ｂの先端に形成されている長手方向（図２（ｃ）中、左右方向）に延びる係合部材に、先端側箸部４を構成する左右一対の先端側棒状体３ａ、３ｂの後端３ｃ、３ｅが長手方向（図２（ｃ）中、左右方向）から矢印１０（図２（ａ）、図３（ｂ））のように挿入されて、両者（先端側棒状体３ａと、後端側棒状体８ａと）が係合されるものである。
【００４７】
図示の実施形態では、各後端側棒状体８ａ、８ｂの先端（図２（ｃ）中、左端）に、断面四角形形状の、長手方向（図２（ｃ）中、左右方向）に延びる凹部８ｃが形成されており、これが、各後端側棒状体８ａ、８ｂの先端に形成されている長手方向（図２（ｃ）中、左右方向）に延びる係合部材となっている。
【００４８】
なお、図示していないが、図示の凹部８ｃを形成している後端側棒状体８ａの周壁の一部のみを長手方向（図２（ｃ）中、左右方向）に延びる係合片として残し、その他の後端側棒状体８ａの周壁部分を切除して各後端側棒状体８ａ、８ｂの先端に形成されている長手方向（図２（ｃ）中、左右方向）に延びる係合部材とすることもできる。
【００４９】
図示の実施形態では、後端側棒状体８ａの、断面四角形形状で、長手方向（図２（ｃ）中、左右方向）に延びる凹部８ｃに、先端側棒状体３ａの断面四角形形状の後端３ｃが長手方向（図２（ｃ）中、左右方向）から嵌装されて、両者（先端側棒状体３ａと、後端側棒状体８ａと）が係合しているが、図示していない、前述したような凹部８ｃを形成している後端側棒状体８ａの周壁の一部のみを長手方向（図２（ｃ）中、左右方向）に延びる係合片として残し、その他の後端側棒状体８ａの周壁部分を切除して各後端側棒状体８ａ、８ｂの先端に形成されている長手方向（図２（ｃ）中、左右方向）に延びる係合部材とされている場合には、ここに、左右一対の先端側棒状体３ａ、３ｂの後端３ｃ、３ｅが長手方向（図２（ｃ）中、左右方向）から矢印１０（図２（ａ）、図３（ｂ））で示すように挿入されて、両者（先端側棒状体３ａと、後端側棒状体８ａと）が係合する。
【００５０】
なお、各後端側棒状体８ａ、８ｂの先端側に形成されている長手方向に延びる係合部材はその先端（図２（ｃ）中、左端）に、内側に向けて突出する係合部を備えている。
【００５１】
図示の実施形態では、各後端側棒状体８ａ、８ｂの先端に形成されている長手方向に延びる凹部８ｃ、８ｄの先端は、内側に向けて突出する係合部８ｅを備えている。
【００５２】
これによって、先端側棒状体３ａ、３ｂの後端側３ｃ、３ｅが後端側棒状体８ａ、８ｂの先端側に形成されている長手方向に延びる係合部材、たとえば、各後端側棒状体８ａ、８ｂの先端側に形成されている長手方向に延びる凹部８ｃ、８ｄに、長手方向から、挿入、例えば、嵌装されて両者（先端側棒状体と、後端側棒状体と）が係合しているときに、先端側棒状体３ａ、３ｂが後端側棒状体８ａ、８ｂから長手方向に抜け出すおそれを未然に防止できる。
【００５３】
この考案の先端取替え割り箸１の先端側箸部４を構成する左右一対の木質製の先端側棒状体３ａ、３ｂは、少なくとも表面に抗菌処理が施されているものとすることができる。これによって衛生的な先端取替え割り箸１を提供できる。
【００５４】
先端側棒状体３ａ、３ｂの先端側の外周には図示のように同心円状に複数の線を刻設し、滑り止めとすることができる。
【００５５】
以上、添付図面を参照してこの考案の好ましい実施形態について説明したが、この考案はかかる実施形態に限定されるものではなく、実用新案登録請求の範囲の記載から把握される技術的範囲において種々の形態に変更可能である。
【図面の簡単な説明】
【００５６】
【図１】この考案の先端取替え割り箸の好ましい実施形態を説明する平面図であり、（ａ）は先端側箸部を構成する左右一対の先端側棒状体の後端に２本の後端側棒状体の先端がそれぞれ結合された状態の一例を説明する平面図、（ｂ）は、図１（ａ）図示の状態の後、先端側箸部の長手方向に延びる左右一対の先端側棒状体を長手方向に延びている割目部を介して分離し一対の箸となった状態を説明する平面図。
【図２】（ａ）先端側箸部の一例を説明する平面図、（ｂ）図２（ａ）図示の先端側箸部を構成する左右一対の先端側棒状体が割目部を介して分離された状態を説明する平面図、（ｃ）２本の後端側棒状体の中の一方の後端側棒状体の一例を説明する平面図。
【図３】（ａ）先端側箸部を構成する左右一対の先端側棒状体の中の一方の先端側棒状体の後端に後端側棒状体の先端が結合されている状態の一例を説明する平面図、（ｂ）は先端側箸部を構成する左右一対の先端側棒状体の中の一方の先端側棒状体の後端に後端側棒状体の先端が結合される直前の状態の一例を説明する平面図。
【符号の説明】
【００５７】
１    先端取替え割り箸１
４    先端側箸部４
３ａ、３ｂ    左右一対の先端側棒状体
８ａ、８ｂ    後端側棒状体
５    割目部
３ｄ、３ｆ  先端側棒状体の前端
３ｃ、３ｅ  先端側棒状体後端
６  空隙
７  空隙
８ｃ、８ｄ  凹部
８ｅ    係合部
【図１】
0003126978.tif 000003
【図２】
0003126978.tif 000004
【図３】
0003126978.tif 000005